(57)【特許請求の範囲】
【請求項１】
第１太陽電池モジュールと、
並んで配置された第２及び第３太陽電池モジュールと、
を備え、
前記第１乃至第３太陽電池モジュールは、それぞれ、
三角形状を呈する板状の第１太陽電池パネルと、
三角形状を呈する板状の第２太陽電池パネルと、
を備え、
前記第１太陽電池パネルの所定の一辺と前記第２太陽電池パネルの所定の一辺とが接続され、
前記第１太陽電池パネルの他の二辺によって形成される第１角部と前記第２太陽電池パネルの他の二辺によって形成される第２角部との間に、所定の間隙が形成され、
前記第１太陽電池パネルの前記一辺と前記第２太陽電池パネルの前記一辺との接続部分が、前記第１角部及び前記第２角部より上方で水平に配置され、
前記第１太陽電池パネルの受光面及び前記第２太陽電池パネルの受光面が外側を向き、所定の鋭角の角度で互いに斜めになるように配置され、
前記第２太陽電池モジュールは、
前記接続部分の一端部が、前記第１太陽電池モジュールの前記第１角部に接続され、
前記第２角部が、前記第３太陽電池モジュールの前記第１角部に接続され、
前記第３太陽電池モジュールは、
前記接続部分の一端部が、前記第１太陽電池モジュールの前記第２角部に接続された
太陽電池アレイ。
【請求項２】
前記第１乃至第３太陽電池モジュールの各接続部分の一端部、前記第１乃至第３太陽電池モジュールの各第１角部、前記第１乃至第３太陽電池モジュールの各第２角部は、同一平面上に配置された請求項１に記載の太陽電池アレイ。
【請求項３】
前記第１太陽電池モジュールと同じ構成を有する第４太陽電池モジュールと、
を備え、
前記第４太陽電池モジュールは、
前記接続部分の一端部が、前記第１太陽電池モジュールの前記接続部分の他端部に接続され、
前記第１角部が、前記第２太陽電池モジュールの前記接続部分の他端部に接続され、
前記第２角部が、前記第３太陽電池モジュールの前記接続部分の他端部に接続された
請求項１又は請求項２に記載の太陽電池アレイ。
【請求項４】
それぞれが、請求項３に記載された太陽電池アレイの構成を有する第１乃至第４太陽電池アレイと、
を備え、
前記第２太陽電池アレイは、
前記第１太陽電池モジュールの前記接続部分の一端部が、前記第１太陽電池アレイの前記第２太陽電池モジュールの前記第１角部に接続され、
前記第４太陽電池モジュールの前記接続部分の他端部が、前記第４太陽電池アレイの前記第２太陽電池モジュールの前記第１角部に接続され、
前記第３太陽電池アレイは、
前記第１太陽電池モジュールの前記接続部分の一端部が、前記第１太陽電池アレイの前記第３太陽電池モジュールの前記第２角部に接続され、
前記第４太陽電池モジュールの前記接続部分の他端部が、前記第４太陽電池アレイの前記第３太陽電池モジュールの前記第２角部に接続され、
前記第４太陽電池アレイは、
前記第１太陽電池モジュールの前記接続部分の一端部が、前記第１太陽電池アレイの前記第４太陽電池モジュールの前記接続部分の他端部に接続された
アレイ装置。
【発明の詳細な説明】
【技術分野】
【０００１】
この発明は、太陽電池モジュールを備えた太陽電池アレイとアレイ装置とに関するものである。
【背景技術】
【０００２】
下記特許文献１には、板状を呈する太陽電池モジュールが開示されている。この太陽電池モジュールは、建物の屋根の所定範囲を覆うように、屋根に敷き詰められている。
【先行技術文献】
【特許文献】
【０００３】
【特許文献１】特開平１１−３５０６８３号公報
【発明の概要】
【発明が解決しようとする課題】
【０００４】
従来では、複数の太陽電池モジュールを大きなパネル状に配置し、建物の屋根や屋上に設置していた。このため、太陽電池モジュールの向きが、建物の向きや屋根の傾斜によって大きな制約を受けてしまうといった問題があった。
【０００５】
図６は従来の太陽電池モジュールの設置方法を説明するための図である。図６において、１０は建物、１１は建物１０の屋根、１２は屋根１１に敷き詰められた多数の太陽電池モジュールである。
【０００６】
建物１０の屋根１１は、一部が北を向いている。屋根１１の北向きの傾斜面は、太陽の光が当たり難く、太陽電池モジュール１２を設置しても、高い発電効率を期待することができない。このため、従来では、図６に示すように、屋根１１の北向きの部分には、太陽電池モジュール１２を設置しないことが多かった。
【０００７】
一方、屋上が平らな建物に太陽電池モジュールを設置する場合は、設置に関しての自由度が高い。従来では、日中の最大発電量を大きくするため、太陽電池モジュールを南向きに設置し、その傾きを、９０°−（南中高度）程度に設定していた。
【０００８】
かかる場合、太陽電池モジュールが発電する電力が最大になる時間帯は、太陽が南中する正午頃である。しかし、一般家庭等では、年間を平均すると、９時から１１時の時間帯、及び、１３時から２０時の時間帯の方が、正午より消費電力量が大きくなる。消費電力は、特に、午前中では１１時頃、午後では１８時頃に最大になる。このため、実使用上で電力が一番必要な時間帯に、太陽電池モジュールの発電能力を十分に発揮することができなかった。
【０００９】
また、太陽電池モジュールを屋根に隙間なく敷き詰めると、熱の逃げ場が無くなってしまう。従来の配置では、太陽熱によって太陽電池モジュールが過熱され、発電効率が低下する恐れがあった。また、太陽電池モジュールを屋根等に直接設置した場合は、過熱された太陽電池モジュールの輻射熱によって、建物の最上階の室内の温度が上昇してしまう。更に、太陽電池モジュールの過熱は、モジュール自体の寿命にも影響を及ぼし、製品寿命を低下させてしまう恐れがあった。
【００１０】
この発明は、上述のような課題を解決するためになされたもので、その目的は、設置する場所の制約を大幅に低減させることができ、且つ、十分な発電量を得ることができる太陽電池アレイとアレイ装置とを提供することである。
【課題を解決するための手段】
【００１３】
この発明に係る太陽電池アレイは、第１太陽電池モジュールと、並んで配置された第２及び第３太陽電池モジュールと、を備え、第１乃至第３太陽電池モジュールは、それぞれ、三角形状を呈する板状の第１太陽電池パネルと、三角形状を呈する板状の第２太陽電池パネルと、を備え、第１太陽電池パネルの所定の一辺と第２太陽電池パネルの所定の一辺とが接続され、第１太陽電池パネルの他の二辺によって形成される第１角部と第２太陽電池パネルの他の二辺によって形成される第２角部との間に、所定の間隙が形成され、第１太陽電池パネルの一辺と第２太陽電池パネルの一辺との接続部分が、第１角部及び第２角部より上方で水平に配置され、第１太陽電池パネルの受光面及び第２太陽電池パネルの受光面が外側を向き、所定の鋭角の角度で互いに斜めになるように配置され、第２太陽電池モジュールは、接続部分の一端部が、第１太陽電池モジュールの第１角部に接続され、第２角部が、第３太陽電池モジュールの第１角部に接続され、第３太陽電池モジュールは、接続部分の一端部が、第１太陽電池モジュールの第２角部に接続されたものである。
【発明の効果】
【００１４】
この発明に係る太陽電池アレイ及びアレイ装置であれば、設置する場所の制約を大幅に低減させることができ、且つ、十分な発電量を得ることができるようになる。
【図面の簡単な説明】
【００１５】
【図１】この発明の実施の形態１における太陽電池モジュールを示す斜視図である。
【図２】この発明の実施の形態１における太陽電池アレイを示す斜視図である。
【図３】この発明の実施の形態１における太陽電池アレイの設置例を示す図である。
【図４】この発明の実施の形態２における太陽電池アレイを示す斜視図である。
【図５】この発明の実施の形態２における太陽電池アレイの設置例を示す図である。
【図６】従来の太陽電池モジュールの設置方法を説明するための図である。
【発明を実施するための形態】
【００１６】
添付の図面を参照して、本発明を詳細に説明する。各図において、同一又は相当する部分には、同一の符号を付している。重複する説明については、適宜簡略化或いは省略している。
【００１７】
実施の形態１．
図１はこの発明の実施の形態１における太陽電池モジュールを示す斜視図である。
図１において、１及び２は太陽電池パネルである。太陽電池パネル１及び２は、三角形の板状を呈している。太陽電池パネル１及び２は、例えば、同一の大きさを有し、同一の形状を呈している。
【００１８】
太陽電池パネル１の所定の一辺１ａと、太陽電池パネル２の所定の一辺２ａとは、同じ長さに形成される。太陽電池パネル１及び２は、上記一辺１ａ及び２ａが線接触するように接続される。太陽電池パネル１及び２は、太陽光を受ける各面（発電素子（太陽電池セル）を有する面）が外側を向くように、所定の角度（鋭角）で互いに斜めになるように配置される。即ち、太陽電池パネル１の受光面は、太陽電池パネル２の反対側を向いている。太陽電池パネル２の受光面は、太陽電池パネル１の反対側を向いている。
【００１９】
太陽電池モジュール３は、２枚の太陽電池パネル１及び２が上記の通り組み合わされることによって構成される。太陽電池モジュール３は、図１に示すように、四面体の２面を形成する部材からなる３次元形状を呈する。太陽電池モジュール３では、太陽電池パネル１の頂点１ｂ（角部）と、太陽電池パネル２の頂点２ｂ（角部）との間に、所定の間隙が形成される。頂点１ｂは、太陽電池パネル１の３つの頂点のうち、上記一辺１ａではない他の二片によって形成される頂点のことである。頂点２ｂは、太陽電池パネル２の３つの頂点のうち、上記一辺２ａではない他の二辺によって形成される頂点のことである。
【００２０】
図２はこの発明の実施の形態１における太陽電池アレイを示す斜視図である。
図２に示す太陽電池アレイ４は、３つの太陽電池モジュール３によって構成される。以下の図２の説明においては、太陽電池アレイ４を構成する３つの太陽電池モジュールに、符号３Ａ乃至３Ｃを付して、それぞれを区別する。
【００２１】
第１の太陽電池モジュール３Ａは、太陽電池パネル１及び２の接続部分（一辺１ａ及び／又は１ｂ）が、最上部で水平に配置される。
【００２２】
第２の太陽電池モジュール３Ｂは、太陽電池パネル１及び２の接続部分（一辺１ａ及び／又は１ｂ）が、最上部で水平に配置される。太陽電池モジュール３Ｂは、太陽電池パネル１の一辺１ａと他の一辺とから形成される頂点１ｃ（又は／及び、太陽電池パネル２の一辺２ａと他の一辺とから形成される頂点２ｃ）が、太陽電池モジュール３Ａの太陽電池パネル１の頂点１ｂに接続される（各頂点等の位置については、図１を参照）。
【００２３】
第３の太陽電池モジュール３Ｃは、太陽電池パネル１及び２の接続部分（一辺１ａ及び／又は１ｂ）が最上部で水平に配置される。太陽電池モジュール３Ｃは、太陽電池パネル１の頂点１ｃ（又は／及び、太陽電池パネル２の頂点２ｃ）が、太陽電池モジュール３Ａの太陽電池パネル２の頂点２ｂに接続される。
【００２４】
太陽電池モジュール３Ｂは、太陽電池パネル２の頂点２ｂが、太陽電池モジュール３Ｃの太陽電池パネル１の頂点１ｂに接続される。
【００２５】
以下の説明では、太陽電池モジュール３において、太陽電池パネル１及び２の接続部分を、太陽電池モジュール３の最上部ともいう。頂点１ｃ（及び／又は、頂点２ｃ）は、上記最上部の一側の端部（一端部）である。太陽電池アレイ４を構成する３つの太陽電池モジュール３Ａ乃至３Ｃは、各最上部が、平行に（同じ向きに）配置される。また、太陽電池モジュール３Ｂと太陽電池モジュール３Ｃとは、横に（最上部の長手に直交する方向に）並んで配置される。
【００２６】
太陽電池アレイ４は、複数（例えば、３つ以上）の太陽電池モジュール３を備えた３次元的なクラスターをなす。図２は、太陽電池アレイ４がとり得る最小の構成を示している。
【００２７】
図３はこの発明の実施の形態１における太陽電池アレイの設置例を示す図である。
図３において、５は建物（例えば、一般住宅）、６は建物５の屋根である。建物５の屋根６は、例えば、その上面が、東西南北のそれぞれを向く４つの傾斜面で構成される。
【００２８】
太陽電池アレイ４は、屋根６のそれぞれの傾斜面に設置される。例えば、屋根６の東側を向く面には、６つの太陽電池モジュール３を備えた太陽電池アレイ４Ａが設置される。太陽電池アレイ４Ａを構成する６つの太陽電池モジュール３は、最上部が東西方向を向くように配置される。
【００２９】
太陽電池アレイ４Ａは、３段（下段、中段、上段）に構成されている。
下段には、３つの太陽電池モジュール３が備えられる。下段の３つの太陽電池モジュール３は、横一列に（例えば、南北方向に並んで）配置される。下段の３つの太陽電池モジュール３のうち、真ん中に配置された太陽電池モジュール３は、太陽電池パネル１の頂点１ｂが、一側（例えば、南側）に隣接する太陽電池モジュール３の太陽電池パネル２の頂点２ｂに接続される。また、真ん中に配置された太陽電池モジュール３は、太陽電池パネル２の頂点２ｂが、他側（例えば、北側）に隣接する太陽電池モジュール３の太陽電池パネル１の頂点１ｂに接続される。
【００３０】
太陽電池アレイ４Ａの中段には、２つの太陽電池モジュール３が備えられる。中段の２つの太陽電池モジュール３は、下段のものと同様に、横に（南北方向に）並んで配置される。中段の２つの太陽電池モジュール３のうち、一側（例えば、南側）に配置された太陽電池モジュール３は、太陽電池パネル１の頂点１ｂが、下段の一側に配置された太陽電池モジュール３の最上部の一端部に接続される。太陽電池パネル２の頂点２ｂは、下段の中央に配置された太陽電池モジュール３の最上部の一端部に接続される。
【００３１】
中段の２つの太陽電池モジュール３のうち、他側（例えば、北側）に配置された太陽電池モジュール３は、太陽電池パネル１の頂点１ｂが、下段の中央に配置された太陽電池モジュール３の最上部の一端部に接続される。太陽電池パネル２の頂点２ｂは、下段の他側に配置された太陽電池モジュール３の最上部の一端部に接続される。また、中段の他側に配置された太陽電池モジュール３は、太陽電池パネル１の頂点１ｂが、中段の一側に配置された太陽電池モジュール３の太陽電池パネル２の頂点２ｂに接続される。
【００３２】
太陽電池アレイ４Ａの上段には、１つの太陽電池モジュール３が備えられる。上段の太陽電池モジュール３は、太陽電池パネル１の頂点１ｂが、中段の一側に配置された太陽電池モジュール３の最上部の一端部に接続される。また、太陽電池パネル２の頂点２ｂが、中段の他側に配置された太陽電池モジュール３の最上部の一端部に接続される。
【００３３】
上記構成を有する太陽電池アレイ４Ａは、各太陽電池モジュール３の頂点１ｂ及び頂点２ｂ、頂点１ｃ及び頂点２ｃ（最上部の一端部）、頂点１ｂ及び１ｃ間の辺、頂点２ｂ及び２ｃ間の辺が、同一平面上に配置され、屋根６の東側を向く傾斜面に沿って配置される。また、各太陽電池モジュール３の最上部は、屋根６の東側を向く傾斜面から水平方向に突出するように配置される。
【００３４】
屋根６の他の傾斜面に設置された太陽電池アレイ４は、太陽電池モジュール３の設置数や設置方向が上記太陽電池アレイ４Ａとは異なるものの、基本的に、太陽電池アレイ４Ａと同様の構成を有している。
【００３５】
この発明の実施の形態１によれば、太陽電池アレイ４（太陽電池モジュール３）について、設置する場所の制約を大幅に低減させることができ、且つ、設置後には、十分な発電量を得ることができる。
【００３６】
即ち、屋根６に設置された太陽電池アレイ４は、上方から見ると、太陽電池モジュール３が隙間無く配列される。また、各太陽電池モジュール３の太陽電池パネル１及び２は、斜めに立てた状態に配置される。上記構成の太陽電池アレイ４であれば、太陽光を受ける面（受光面）の面積を大きく（例えば、屋根６の面積よりも大きく）することができる。このため、太陽電池アレイ４の設置面積当たりの発電量を増加させることができ、土地を有効に活用することが可能となる。
【００３７】
また、上記構成の太陽電池アレイ４であれば、上方から見た時の、隣接する太陽電池モジュール３間の重なり合いを、最小限に抑えることができる。例えば、各太陽電池パネルの受光面が、上方から見て重なり合うことがないように配列させることもできる。このため、後方或いは下方に配置された太陽電池モジュール３が、前方或いは上方に配置された太陽電池モジュール３の影に常に入ってしまうことはない。上記構成の太陽電池アレイ４であれば、発電効率の低下を防止することも可能である。
【００３８】
上記構成の太陽電池アレイ４では、各太陽電池モジュール３の太陽電池パネル１及び２の受光面が、所定の傾斜を有して互いに外側を向くように配置される。このため、上記構成の太陽電池アレイ４であれば、太陽電池モジュール３によって発電される電力が最大になる時間帯を、太陽が南中する正午よりも早い時間帯と遅い時間帯とに合わせて設定することができる。即ち、上記構成の太陽電池アレイ４であれば、実使用上で電力が一番必要な時間帯に、太陽電池モジュール３の発電能力を最大限に活用することができる。
【００３９】
例えば、各太陽電池モジュール３の最上部を太陽の南中方向に合わせて（例えば、最上部が南中時の太陽光と直交するように）設置することにより、電力需要が高くなる１１時以前と１６時以降とにおいても、受光面（の一部）を太陽の方向に向けておくことができる。このため、発電の無駄（例えば、発電量が高い時間帯に蓄電池に電力をためることや、余った電力を電力会社等に売ること）を低減させることができる。
【００４０】
また、上記構成の太陽電池アレイ４であれば、屋根６の北向きの傾斜面に設置しても、所定の発電量が期待できる。即ち、上記構成の太陽電池アレイ４であれば、全方位の屋根に設置することができる。
【００４１】
上記構成の太陽電池アレイ４では、各太陽電池モジュール３の太陽電池パネル１及び２の下方に、大きな開口が形成される。このため、屋根６と太陽電池モジュール３との間に熱がこもることはなく、太陽電池モジュール３の過熱を確実に防止することができる。上記構成の太陽電池アレイ４であれば、太陽電池モジュール３の過熱によって発電効率が低下したり、太陽電池モジュール３の製品寿命が劣化したりする恐れはない。建物５の最上階にある部屋の温度上昇も抑制することができる。
【００４２】
また、各太陽電池モジュール３の太陽電池パネル１及び２の下方に大きな開口が形成されるため、従来のもののように、屋根と太陽電池モジュールとの隙間に入り込んだ風によって、太陽電池アレイがその裏側から大きな力を受けることもない。上記構成の太陽電池アレイ４であれば、風が強い地域や高層階においても、設置台に過剰な強度を要求する必要はなく、取り付けを容易に行うことができる。
【００４３】
太陽電池セルの母材となる高純度のシリコンを製造する方法は、ＦＺ法（Ｆｌｏａｔｉｎｇ  Ｚｏｎｅ法）と、ＣＺ法（Ｃｚｏｃｈｒａｌｓｋｉ法）とに大別できる。ＦＺ法及びＣＺ法の何れによっても、シリコンのインゴットは、円柱状になる。即ち、太陽電池セルを切り出すためのシリコンウエハは、円形になる。現在、太陽電池セルを切り出す形状は、四角形が主流である。しかし、円形のシリコンウエハから最大面積の太陽電池セルを切り出すには、三角形に切り出すことが最も効率が良い。上記構成の太陽電池アレイ４を採用すれば、製造工程で切りくずとして従来廃棄していたシリコンウエハの量を低減させることができ、資源の有効活用にも貢献できる。
【００４４】
実施の形態２．
図４はこの発明の実施の形態２における太陽電池アレイを示す斜視図である。
図４に示す太陽電池アレイ７は、４つの太陽電池モジュール３によって構成される。太陽電池アレイ７を構成する太陽電池モジュール３自体の構成は、実施の形態１（図１）に示すものと同様である。太陽電池アレイ７は、図２に示す太陽電池アレイ４に、１つの太陽電池モジュール３Ｄを追加したものに相当する。
【００４５】
第４の太陽電池モジュール３Ｄは、最上部が、太陽電池モジュール３Ａの最上部と一直線状に配置される。太陽電池モジュール３Ｄは、最上部の一端部が、太陽電池モジュール３Ａの最上部の他端部（太陽電池パネル１の一辺１ａと残りの一辺と（上記他の一辺以外の二辺）から形成される頂点１ｄ（又は／及び、太陽電池パネル２の一辺２ａと残りの一辺とから形成される頂点２ｄ））に接続される。また、太陽電池モジュール３Ｄは、太陽電池パネル１の頂点１ｂが、太陽電池モジュール３Ｂの最上部の他端部に接続される。太陽電池モジュール３Ｄの太陽電池パネル２の頂点２ｂは、太陽電池モジュール３Ｃの最上部の他端部に接続される（各頂点等の位置については、図１を参照）。
【００４６】
太陽電池アレイ７は、複数（例えば、４つ以上）の太陽電池モジュール３を備えた３次元的なクラスターをなす。図４は、太陽電池アレイ７がとり得る最小の構成を示している。
【００４７】
図５はこの発明の実施の形態２における太陽電池アレイの設置例を示す図である。
図５において、８は設置台、９は給電プラグである。図５に示す例では、太陽電池アレイ７を設置台８で下方から支え、太陽電池アレイ７を建物の屋根として機能させている。
【００４８】
本実施の形態では、太陽電池アレイ７を適切に配置して、シェルピンスキー多面体状に形成している。以下の図５の説明においては、シェルピンスキー多面体を形成する４つの太陽電池アレイに、符号７Ａ乃至７Ｄを付して、それぞれを区別する。
【００４９】
上段の２つの太陽電池アレイ７Ａ及び７Ｂは、縦方向に（太陽電池モジュール３の最上部の長手方向に）並んで配置される。太陽電池アレイ７Ａは、太陽電池モジュール３Ｄの最上部の他端部が、太陽電池アレイ７Ｂの太陽電池モジュール３Ａの最上部の一端部に接続される。太陽電池アレイ７Ａの太陽電池モジュール３Ａ及び３Ｄの各最上部と、太陽電池アレイ７Ｂの太陽電池モジュール３Ａ及び３Ｄの各最上部とは、一直線状に一続きに配置される。
【００５０】
下段の２つの太陽電池アレイ７Ｃ及び７Ｄは、横方向に（太陽電池モジュール３の最上部の長手方向と直交する方向に）並んで配置される。太陽電池アレイ７Ｃは、太陽電池モジュール３Ａの最上部の一端部が、太陽電池アレイ７Ａの太陽電池モジュール３Ｂの頂点１ｂに接続される。また、太陽電池アレイ７Ｃは、太陽電池モジュール３Ｄの最上部の他端部が、太陽電池アレイ７Ｂの太陽電池モジュール３Ｂの頂点１ｂに接続される。
【００５１】
太陽電池アレイ７Ｄは、太陽電池モジュール３Ａの最上部の一端部が、太陽電池アレイ７Ａの太陽電池モジュール３Ｃの頂点２ｂに接続される。太陽電池アレイ７Ｄは、太陽電池モジュール３Ｄの最上部の他端部が、太陽電池アレイ７Ｂの太陽電池モジュール３Ｃの頂点２ｂに接続される。また、太陽電池アレイ７Ｃは、太陽電池モジュール３Ｃの頂点２ｂが、太陽電池アレイ７Ｄの太陽電池モジュール３Ｂの頂点１ｂに接続される。
【００５２】
上記構成を有することにより、実施の形態１に記載されたものと同様の効果を奏することが可能な給電場所を提供することができる。
なお、本実施の形態の構成を建物５の屋根６上に設置しても良い。
【符号の説明】
【００５３】
１、２  太陽電池パネル
１ａ、２ａ  一辺
１ｂ、１ｃ、１ｄ、２ｂ、２ｃ、２ｄ  頂点
３、３Ａ、３Ｂ、３Ｃ、３Ｄ、１２  太陽電池モジュール
４、４Ａ、７、７Ａ、７Ｂ、７Ｃ、７Ｄ  太陽電池アレイ
５、１０  建物
６、１１  屋根
８  設置台
９  給電プラグ
【図１】
0005573866.tif 000002
【図２】
0005573866.tif 000003
【図３】
0005573866.tif 000004
【図４】
0005573866.tif 000005
【図５】
0005573866.tif 000006
【図６】
0005573866.tif 000007